(57)【要約】【課題】  海面処分場等の埋立域の法面に敷設される遮水シートと海底面との間の遮水を確実に行う。【解決手段】  海面処分場１の埋立域１１を区画するように造成された裏込め工の法面を覆う遮水構造であって、下端部が前記護岸構造物を支持する不透水性地層２アスファルトマスチック密着層３５を介して密着された遮水シート２０を芯材とする下側遮水層２４と、下側遮水層２４との間に所定の中間層３１が設けられ、下端部が遮水シート２０上の区画範囲に充填されたアスファルトマスチック充填層３６上に延在して密着された遮水シート２１を芯材とする上側遮水層２５と、からなる多重遮水層１０を捨石マウンド３の法面に構築する。【選択図】  図２
2020094463.tif 000002
【特許請求の範囲】
【請求項１】
海面処分場埋立域を区画するように造成された護岸構造物の裏込め工の法面を覆う遮水構造であって、
下端部が前記護岸構造物を支持する遮水基盤表面に設けられた第１の不透水性遮水材を介して密着された下側遮水シートを芯材とする下側遮水層と、
該下側遮水層との間に所定の中間層が設けられ、下端部が前記下側遮水シート上の区画範囲に充填された第２の不透水性遮水材上に延在して密着された上側遮水シートを芯材とする上側遮水層と、
からなる多重遮水層が前記裏込め工の法面に構築されたことを特徴とする海面処分場埋立域の遮水構造。
【請求項２】
前記多重遮水層は、前記下側遮水層上に所定層厚をなして中間被覆土層が敷設され、該中間被覆土層上に前記上側遮水層が積層された請求項１に記載の海面処分場埋立域の遮水構造。
【請求項３】
前記多重遮水層は、前記法面に沿って下側緩衝保護層が敷設され、該下側緩衝保護層上に前記下側遮水層が積層され、
前記上側遮水層上に上側緩衝保護層が敷設された請求項１または請求項２に記載の海面処分場埋立域の遮水構造。
【請求項４】
前記第２の不透水性遮水材は、前記下側遮水シート上に設置された仕切型枠材で区画された空間に充填された請求項１に記載の海面処分場埋立域の遮水構造。
【請求項５】
前記下側遮水シートは、両面に保護マットが積層されて前記下側遮水層が構成され、前記上側遮水シートは、両面に保護マットが積層されて前記上側遮水層が構成された請求項１に記載の海面処分場埋立域の遮水構造。
【請求項６】
前記保護マットは、不織布からなる請求項５に記載の海面処分場埋立域の遮水構造。
【請求項７】
前記中間被覆土層は、布製袋型枠内に中詰め材が充填されたマット状体からなる請求項２に記載の海面処分場埋立域の遮水構造。
【請求項８】
前記下側緩衝保護層及び前記上側緩衝保護層は、布製袋型枠内に中詰め材が充填されたマット状体からなる請求項３に記載の海面処分場埋立域の遮水構造。
【請求項９】
前記下側遮水シート及び前記上側遮水シートは、前記仕切型枠材で区画された範囲においてアンカー突起が形成され、前記アンカー突起が前記第２の不透水性遮水材内に埋設された請求項４に記載の海面処分場埋立域の遮水構造。
【請求項１０】
前記第１及び第２の不透水性遮水材は、アスファルト系遮水材、土質系遮水材、セメント系遮水材、ケミカル系遮水材のいずれかである請求項１に記載の海面処分場埋立域の遮水構造。
【請求項１１】
前記中詰め材は、固化処理土、建設残土、海底堆積土、砂、アスファルト系、土質系、セメント系、ケミカル系充填固化材のいずれかである請求項７または請求項８に記載の海面処分場埋立域の遮水構造。
【請求項１２】
海面処分場埋立域を区画するように造成された護岸構造物の裏込め工の法面を覆う遮水構造であって、
下端部が前記護岸構造物を支持する遮水基盤表面に設けられた第１の不透水性遮水材上に、押さえ捨石あるいは堆積廃棄物の自重による上載荷重で前記遮水基板表面に密着させた下側遮水シートを芯材とする下側遮水層と、
該下側遮水層との間に所定の中間層が設けられ、該中間層上に敷設された上側遮水シートを芯材とする上側遮水層と、
からなる多重遮水層が前記裏込め工の法面に構築されたことを特徴とする海面処分場埋立域の遮水構造。
【請求項１３】
海面処分場埋立域を区画するように造成された護岸構造物の裏込め工の法面を覆う遮水構造であって、
下端部が前記護岸構造物を支持する遮水基盤表面に設けられた第１の不透水性遮水材を介して密着され、上面が第２の不透水性遮水材で押さえられた下側遮水シートを芯材とする下側遮水層と、
該下側遮水層と同様構成により下端部が前記遮水基盤表面に密着され、前記下側遮水層との間に所定の中間層が設けられ、前記下側遮水層の上方に敷設された上側遮水シートを芯材とする上側遮水層と、
からなる多重遮水層が前記裏込め工の法面に構築されたことを特徴とする海面処分場埋立域の遮水構造。
【請求項１４】
前記下側遮水シートは、遮水基盤表面に設けられた第１の不透水性遮水材上に、押さえ捨石あるいは堆積廃棄物の自重による上載荷重で前記遮水基板表面に密着された請求項１３に記載の海面処分場埋立域の遮水構造。
【請求項１５】
前記遮水基盤は、不透水性地層あるいは深層混合処理土層である請求項１、請求項１２、請求項１３のいずれか１項に記載の海面処分場埋立域の遮水構造。
【発明の詳細な説明】
【技術分野】
【０００１】
本発明は海面処分場埋立域の遮水構造に係り、特に海面処分場等を建設する際に埋立域を囲むために構築される埋立域の法面に敷設される遮水シートの海底面との間の遮水を確実に行えるようにした海面処分場埋立域の遮水構造に関する。
【背景技術】
【０００２】
従来、一般廃棄物及び産業廃棄物の海面最終処分場は、遮水護岸を構築するために、連結部分を遮水構造とした複数のケーソンやセル等の護岸構造物によって区画して建設されている。これらの埋立域側では供用後の護岸構造物及び基礎地盤により囲まれた管理型廃棄物最終処分場から周辺海域及び周辺陸域への保有水の浸出防止を図るために、遮水シート等による各種の遮水構造が施工されている。
【０００３】
これらの遮水構造については、「一般廃棄物の最終処分場及び産業廃棄物の最終処分場に係る技術上の基準を定める省令（以下、基準省令）」（非特許文献１）にその基本構造が明示されている。図１０の例は、ケーソン式混成堤護岸によって建設された海面処分場５０において、廃棄物７０による埋立が完了した状態を示した概略断面図である。この海面処分場５０となる埋立域５１を区画する護岸構造物として、不透水性地層５２上に構築された捨石マウンド５３上にケーソン５４が設置され、捨石マウンド５３の埋立域５１側の法面に沿って一重目遮水シート６０が敷設されている。一重目遮水シート６０上には所定厚の裏込め工６１が構築され、その上に二重目遮水シート６２が敷設され、さらに二重目遮水シート６２全体を覆うように押え捨石６３が構築されている。そして、埋立処分される廃棄物７０が、この埋立域に搬入、堆積される。最終的に、図１０に示したように、予定量の廃棄物７０による埋め立て完了後、表層は建設発生土、搬入土７１によって覆土される。図１１は、従来の技術基準で規定された二重遮水構造としての遮水シート下端の不透水性地層への密着構造の一例を示している。一重目遮水シート６０、二重目遮水シート６２のいずれの密着構造も同一である。
【０００４】
ところで、海面処分場では，埋立護岸構造物に遮水工が付加された管理型廃棄物埋立護岸として構築される。そのため、基準省令の趣旨に沿って海面処分場の特性に配慮した設計上の指針として「管理型廃棄物埋立護岸設計・施工・管理マニュアル（改訂版）」（以下、設計・施工・管理マニュアル、平成２０年８月、（財）港湾空間高度化環境研究センター発行）が作成されている。この設計・施工・管理マニュアルでは、上述した遮水シート６０，６２の下端は、海底面としての不透水性地層５２あるいは深層混合処理土（Ｃ．Ｄ．Ｍ．）等の遮水基盤の表面に敷設長Ｌ１＝５ｍ以上密着して敷設する構造とすることが規定されている。また、遮水シートの端部６０ａ，６２ａは、その安定状態を確保するために、アスファルトマスチック充填層６６内に位置するように配置されように設計される。
【先行技術文献】
【非特許文献】
【０００５】
【非特許文献１】環境庁  法令・告示・通達、“一般廃棄物の最終処分場及び産業廃棄物の最終処分場に係る技術上の基準を定める省令”、［online］、平成１０年７月１６日改定、環境省、［平成３０年９月１８日検索］、インターネット＜ＵＲＬ：http://elaws.e-gov.go.jp/search/elawsSearch/elaws_search/lsg0500/detail?lawId=352M50000102001&openerCode=1＞
【発明の概要】
【発明が解決しようとする課題】
【０００６】
従来の基準省令、設計・施工・管理マニュアルに基づいた護岸構造物の遮水工の設計では、図１０，１１に示したように、二重の遮水シート６０，６２を法面造成の進行に合わせて、ほぼ同様の工程を繰り返して施工しなければならない。また一重目遮水シート６０と二重目遮水シート６２との間に所定層厚の裏込め工６１を構築しなければならない。よって、遮水シート工、裏込め工において、工程および工事量が多く、工事期間の長期化、工事費の増大が問題となる。
【０００７】
ところで、遮水シート６０，６２の端部が保持されるアスファルトマスチック充填層６６は、仕切型枠としてのコンクリートブロック６７，６７で囲まれた区画内に充填された流動状態のアスファルトマスチックが固化して形成されたものである。この時のアスファルトマスチック充填層６６内で密着長（浸透路長）Ｌ２は、実験あるいは基準省令に示された不透水性地層（厚さ５ｍ以上かつ透水係数１×１０-5ｃｍ/秒以下）と同等の浸透時間となるように設計された必要密着長に安全率を乗じた長さ（たとえばＬ２＝１．２５ｍ＝必要密着長（必要浸透路長）０．５ｍ×安全率２．５）とすることができることが認められた。
【０００８】
よって、遮水シート６０，６２と不透水性地層５２あるいは深層混合処理土（Ｃ．Ｄ．Ｍ．）等の遮水基盤の表面等との密着長についても両者間に薄いアスファルトマスチック密着層６４，６５を形成することで、上述の敷設長Ｌ１を短縮することが可能できると考えられる。
【０００９】
そこで、本発明の目的は上述した従来の技術が有する問題点を解消するための将来的に有効な対応策として、２層の遮水シートを多重の遮水層として敷設するための、不透水性地層表面等の遮水基盤に敷設されてる遮水シートとの間にアスファルトマスチック層を形成することにより、従来２箇所のアスファルトマスチック層を１箇所にすることが可能になり、工事期間、工事費等を大幅に抑え、規定の技術基準を満たした構造物を構築するようにした海面処分場埋立域の遮水構造を提供することにある。
【課題を解決するための手段】
【００１０】
上記目的を達成するために、本発明の海面処分場埋立域の遮水構造は、海面処分場埋立域を区画するように造成された護岸構造物の裏込め工の法面を覆う遮水構造であって、下端部が前記護岸構造物を支持する遮水基盤表面に設けられた第１の不透水性遮水材を介して密着された下側遮水シートを芯材とする下側遮水層と、該下側遮水層との間に所定の中間層が設けられ、下端部が前記下側遮水シート上の区画範囲に充填された第２の不透水性遮水材上に延在して密着された上側遮水シートを芯材とする上側遮水層と、からなる多重遮水層が前記裏込め工の法面に構築されたことを特徴とする。前記遮水基盤は、不透水性地層あるいは深層混合処理土層であることが好ましい。
【００１１】
前記多重遮水層は、前記下側遮水層上に所定層厚をなして中間被覆土層が敷設され、該中間被覆土層上に前記上側遮水層が積層されることが好ましい。
【００１２】
前記多重遮水層は、前記法面に沿って下側緩衝保護層が敷設され、該下側緩衝保護層上に前記下側遮水層が積層され、前記上側遮水層上に上側緩衝保護層が敷設されることが好ましい。
【００１３】
前記第２の不透水性遮水材は、前記下側遮水シート上に設置された仕切型枠材で区画された空間に充填されることが好ましい。
【００１４】
前記下側遮水シートは、両面に保護マットが積層されて前記下側遮水層が構成され、前記上側遮水シートは、両面に保護マットが積層されて前記上側遮水層が構成されることが好ましい
【００１５】
前記保護マットは、不織布からなることが好ましい。
【００１６】
前記中間被覆土層は、布製袋型枠内に中詰め材が充填されたマット状体からなることが好ましい。
【００１７】
前記下側緩衝保護層及び前記上側緩衝保護層は、布製袋型枠内に中詰め材が充填されることが好ましい。
【００１８】
前記下側遮水シート及び前記上側遮水シートは、前記仕切型枠材で区画された範囲においてアンカー突起が形成され、前記アンカー突起が前記第２の不透水性遮水材内に埋設されることが好ましい。
【００１９】
前記第１及び第２の不透水性遮水材は、アスファルト系遮水材、土質系遮水材、セメント系遮水材、ケミカル系遮水材のいずれかであることが好ましい。
【００２０】
前記中詰め材は、固化処理土、建設残土、海底堆積土、砂、アスファルト系、土質系、セメント系、ケミカル系充填固化材のいずれかであることが好ましい。
【００２１】
他の発明として本発明は、海面処分場埋立域を区画するように造成された護岸構造物の裏込め工の法面を覆う遮水構造であって、下端部が前記護岸構造物を支持する遮水基盤表面に設けられた第１の不透水性遮水材上に、押さえ捨石あるいは堆積廃棄物の自重による上載荷重で前記遮水基板表面に密着させた下側遮水シートを芯材とする下側遮水層と、該下側遮水層との間に所定の中間層が設けられ、該中間層上に敷設された上側遮水シートを芯材とする上側遮水層とからなる多重遮水層が前記裏込め工の法面に構築されたことを特徴とする。
【００２２】
さらなる他の発明として本発明は、海面処分場埋立域を区画するように造成された護岸構造物の裏込め工の法面を覆う遮水構造であって、下端部が前記護岸構造物を支持する遮水基盤表面に設けられた第１の不透水性遮水材を介して密着され、上面が第２の不透水性遮水材で押さえられた下側遮水シートを芯材とする下側遮水層と、該下側遮水層と同様構成により下端部が前記遮水基盤表面に密着され、前記下側遮水層との間に所定の中間層が設けられ、前記下側遮水層の上方に敷設された上側遮水シートを芯材とする上側遮水層とからなる多重遮水層が前記裏込め工の法面に構築されたことを特徴とする。
【発明の効果】
【００２３】
上述のさらなる他の発明において、前記下側遮水シートは、遮水基盤表面に設けられた第１の不透水性遮水材上に、押さえ捨石あるいは堆積廃棄物の自重による上載荷重で前記遮水基板表面に密着させることが好ましい。
【図面の簡単な説明】
【００２４】
【図１】本発明の海面処分場埋立域の遮水構造の一実施形態が用いられている海面処分場の全体構造を示した側断面図。
【図２】図１に示した遮水構造の下部を拡大して示した拡大側断面図。
【図３】図１に示した遮水構造の法面での遮水部材の積層状態を拡大して示した拡大側断面図。
【図４】図１に示した遮水構造と遮水基盤との密着部を拡大して示した拡大側断面図。
【図５】他の実施形態の遮水構造と遮水基盤との密着部を拡大して示した拡大側断面図。
【図６】図５の密着部における遮水シートの配置を拡大して示した拡大側断面図。
【図７】他の実施形態の遮水構造の下部を拡大して示した拡大側断面図。断面図。
【図８】図７に示した遮水構造の法面での遮水部材の積層状態を拡大して示した拡大側断面図。
【図９】他の実施形態の遮水構造の下部を拡大して示した拡大側断面図。
【図１０】従来の海面処分場埋立域の遮水構造の一実施形態が用いられている海面処分場埋立域（海面処分場）の全体構造を示した側断面図。
【図１１】図１０に示した遮水構造の下部を拡大して示した拡大側断面図。
【発明を実施するための形態】
【００２５】
以下、本発明の海面処分場埋立域の遮水構造の実施するための形態について添付図面を参照して説明する。
【実施例】
【００２６】
図１は、本発明の遮水構造を、図１０に示した従来の海面処分場と同じ規模の処分場に適用した実施形態を示している。図２は、遮水構造の下部と、遮水基盤の一例としての不透水性地層との密着部を拡大して示している。遮水基盤としては、原位置の不透水性地層あるいは深層混合処理土（Ｃ．Ｄ．Ｍ．）等の改良地盤とがあるが、以下の実施形態の説明では、遮水基盤としての不透水性地層上に遮水構造を構築した例をもとに説明する。
【００２７】
図１には、海面処分場１となる埋立域１１を区画する護岸構造物として、不透水性地層２上に造成された捨石マウンド３上にケーソン４が設置されている。ケーソン４は内部に中詰め砂が充填された公知の鉄筋コンクリート製、鋼製、ハイブリッド製の函体からなり、複数の同形のケーソン４を捨石マウンド３上に列状に配置することで、沿岸水域に所定面積、広さからなる埋立域１１を区画する護岸構造物として機能する。さらに捨石マウンド３の埋立域側の法面には本発明の多重遮水層が構築されている。多重遮水層１０の下端は、図２に示したように、不透水性地層と密着する構造を有している。
【００２８】
多重遮水層１０は、保護マット２２が積層された２層の遮水シート２０，２１（下側遮水層２４、上側遮水層２５）、中間被覆土層３１、上下２層の緩衝保護層３０，３２とから構成されており、所定層厚が確保された積層された遮水層として機能する。さらに多重遮水層１０が構築された法面全体を覆うように押え捨石５が構築され、所定規模の埋立域１１が造成され、この埋立域１１に図１０の場合と同様に埋立処分される廃棄物７０が搬入されて埋め立てられ、予定量の廃棄物７０による埋立完了後、表層は建設発生土、搬入土７１によって覆土される。
【００２９】
図３は、図１で示された多重遮水層１０の層構成を模式的に示した部分断面図である。多重遮水層１０は、同図に示したように、捨石マウンド３の被覆石の法面上に敷設された下側緩衝保護層３０と、下側緩衝保護層３０に密着して敷設された、両面が保護マット２２で挟まれた遮水シート２０からなる下側遮水層２４と、下側遮水層２４上に構築され、上側遮水層との間に所定の離隔を確保する中間被覆土層３１と、中間被覆土層３１上に密着して敷設され、両面が保護マット２２で挟まれた遮水シート２１からなる上側遮水層２５と、上側遮水層２５上に構築され、上側遮水層２５を保護する上側緩衝保護層とで構成されている。
【００３０】
多重遮水層１０のうち、下側緩衝保護層３０、中間被覆土層３１、上側緩衝保護層３２とはともに、布製袋型枠Ｔ内に、中詰め材としてセメント系固化処理土が充填された、所定厚さを有するマット状体である。このマット状体を構築するための布製袋型枠は、２枚の合成繊維（たとえば、ナイロン（登録商標）またはポリエステル繊維）製の織布間を所定長さの間隔保持部材によって連結した、内部に所定の空間を形成可能な袋状体からなる。布製袋型枠Ｔの内部空間に流動性を有する状態のセメント系固化処理土Ｓを充填し、固化処理土Ｓが固化することにより、所定強度のマット状体が構築される。本発明では、型枠の表裏面を構成する布材間に同素材の間隔保持壁材が設けられた、固化処理土Ｓが充填された状態で連続箱形をなす布製袋型枠が用いられている。同等の機能を果たす布製袋型枠Ｔの既製品としては、商品名「タコムマット」（太陽工業製）がある。
【００３１】
中詰め材としては、セメント系固化処理土に代えて、現場に搬入された建設残土、建設廃材、現場で供給可能な海底堆積土、海砂、山砂、ベントナイト、フライアッシュ、各種合成樹脂材料等を含む土質系、セメント系、ケミカル系の充填固化材等、もしくはこれらの混合材料を、中詰め、充填して用いることもできる。
【００３２】
布製袋型枠Ｔを用いたマット状体は、法面上に型枠や足場を設置することなく、裏込め工や捨石マウンド３の法面に沿って敷設された布製袋型枠Ｔの注入口からセメント系固化処理土Ｓ等の硬化材料を、２枚の織布間に充填して硬化させるだけで法面上に迅速に構築することができる。このマット状体の厚さは中間接合糸の長さによって任意に設定できる。本実施形態の場合、緩衝保護層のマット状体の厚さは５０〜１００ｍｍ、中間被覆土層３１のマット状体の厚さは５００ｍｍ程度を想定している。緩衝保護層の層厚が５０〜１００ｍｍ、中間被覆土層３１の層厚が５００ｍｍ程度を確保すれば、布製袋型枠を使用しないで所定層厚にセメント系固化処理土Ｓ等の硬化材料を積層して、中間被覆土層、緩衝保護層を構築することもできる。
【００３３】
下側遮水層２４、上側遮水層２５は同一構成からなり、ともに低密度ポリエチレンシート（ＬＬＤＰＥ：厚さ３ｍｍ）の遮水シート２０（２１）を芯材として上下面に保護マット２２としての不織布が一体的に積層されている。このように、遮水シートの両面に保護マット２２としての不織布を積層して配置することにより、捨石マウンド３の裏込め材料の表面に不織布が接し、裏込め材料と遮水層との間に大きな静止摩擦力と、緩衝作用が確保できる。遮水シートに好適な他の素材としては、ポリ塩化ビニル（ＰＶＣ）製シート、不織布とＰＶＣシートとの積層シート、熱可塑性系エラストマー（ＴＰＥ）シート、高密度ポリエチレンシート（ＨＤＰＥ）の単体シート等があり、これらを適宜選択して使用することができる。シート厚としては沈下等による伸びを考慮して１．５〜３．０mm程度とすることが好ましい。
【００３４】
保護マット２２は、本実施形態ではポリエチレンテレフタラート（ＰＥＴ）不織布（５００g/m2）が用いられている。この２枚の保護マット２２で遮水シート２０（２１）を挟むように積層し、遮水層２４（２５）を構成する。保護マット２２のその他の好適な材料としては、ポリエチレン（ＰＥ）やポリプロピレン（ＰＰ）等を使用することができるが、遮水シートの各面に接する現場状況によっては、遮水シート２０（２１）の片面のみに保護マット２２を使用しても良い。
【００３５】
ここで、本発明の遮水構造の多重遮水層１０の下端における不透水性地層２との密着部の構成について、図２、図４を参照して説明する。捨石マウンド３の法面上の多重遮水層１０は、図３に示した積層構造からなるが、多重遮水層１０を構成する下側遮水層２４は、保護マット２２が法尻部分まで敷設され、その先端側は遮水シートの先端２０ａのみが不透水性地層２の表面上に延設されている。このとき遮水シート先端２０ａの下面と不透水性地層表面２との間には厚さ約１５ｃｍの不透水性遮水材としての熱可塑性材料であるアスファルトマスチック密着層３５が形成され、遮水シート２０と不透水性地層表面２との密着が図られている。不透水性地層２に代えて深層混合処理土（Ｃ．Ｄ．Ｍ．）を遮水基盤とする場合も同様にアスファルトマスチック密着層３５を構築することで、遮水シート２０の先端２０ａの密着長Ｌを短くできる。
【００３６】
なお、従来の遮水工（たとえば図１０）のように、アスファルトマスチック密着層３５を設けないで、遮水シート２０を不透水性地層表面にそのまま敷設する場合には、遮水シート２０の先端２０ａは、捨石マウンド３の法尻部分から不透水性地層２の表面に沿って敷設長Ｌ１＝５ｍだけ延長させる。
【００３７】
下側遮水層２４の遮水シート２０の先端２０ａにおいて、捨石マウンド３の法尻と、法尻から不透水性地層表面側の約１．２５ｍ離れた位置とに２個のコンクリートブロック３３，３４が載置されている。これらコンクリートブロック３３，３４は、従来構造と同様に仕切型枠として機能し、これら２個のコンクリートブロック３３，３４間に、不透水性遮水材としてのアスファルトマスチックが充填され固化したアスファルトマスチック充填層３６がそれぞれ形成される。コンクリートブロック３３，３４は、図２、図４に示したように、本実施形態ではそれぞれコンクリートブロック３３（約０．５ｍ×約０．５ｍ）、コンクリートブロック３４（約０．５ｍ×約０．６〜０．７ｍ）の断面を有した細長直方体からなり、ブロックの長手方向が法面の法尻の延長方向に沿って延在するように設置されている。法尻側のコンクリートブロック３３の高さは、法尻位置での中間被覆土層３１の鉛直高さにほぼ等しく、コンクリートブロック３３は法尻位置で下側遮水層２４の遮水シート２０の先端部２０ａの上に載置され、コンクリートブロック３３の上面には上側遮水層２５の遮水シート２１の先端部２１ａが延在し、遮水シート２０、２１の先端２０ａ、２１ａは、アスファルトマスチック充填層３６の上下面に延在するように敷設されている。上述したアスファルトマスチック密着層３５、アスファルトマスチック充填層３６に用いられた不透水性遮水材としての熱可塑性材料であるアスファルトマスチックに代えて、ベントナイト、フライアッシュ、各種合成樹脂材料等を含む土質系遮水材、セメント系遮水材、ケミカル系遮水材を用いることもできる。
【００３８】
すなわち、本発明では、下側遮水層２４の遮水シート２０、上側遮水層２５の遮水シート２１は敷設状態において、いずれも先端部２０ａ、２１ａがアスファルトマスチック充填層３６内において所定の密着長Ｌ２（たとえば１．２５ｍ＝必要密着長０．５ｍ×安全率２．５）が確保されている。なお、本実施形態では、遮水シート上面に不透水性遮水材を用いたアスファルトマスチック被覆層３７が所定厚で形成されているが、アスファルトマスチック被覆層３７を設けない場合もある。
【００３９】
本発明の実施形態においては、溶融状態のアスファルトマスチックは、図４に拡大して示したように、遮水シート上の所定位置に設置された仕切型枠材としての２個のコンクリートブロック３３，３４間の空間に充填され、下側の遮水シート２０の上面と上側の遮水シート２１の上下面に密着した状態で粘弾性体としての機能を保持して固化する。仕切型枠材の材質としてはコンクリートブロック以外に、海中において劣化の進行することのない材質が好ましく、鋼材、石材等があげられる。
【００４０】
以上の説明では、下側の遮水シート２０の端部は、アスファルトマスチック密着層３５とコンクリートブロック３３，３４で仕切られた空間に形成されたアスファルトマスチック充填層３６との間に挟まれて遮水化が実現されるが、押え層としてのアスファルトマスチック充填層３６を用いずに、遮水シート２０上に積層される押え捨石や廃棄物の自重による上載荷重によって遮水シート２０をアスファルトマスチック密着層３５に密着させることも可能である。
【００４１】
図５は、下側遮水層２４の遮水シート２０の先端のコンクリートブロック３３，３４内に位置する部位と、上側遮水層２５の遮水シート２１のコンクリートブロック３３，３４内に位置する部位とにおいて、遮水シート２０，２１に、シート裏面にアンカー突起３８ａが等間隔にわたり形成された遮水シート３８（たとえば、商品名スタッドライナー（太陽工業株式会社製））を接合し、コンクリートブロック３３，３４で仕切られた空間にアスファルトマスチック３６を充填した状態を示している。アンカー突起３８ａが裏面に形成された遮水シート３８は、図６（ａ）に示したような形状からなり、このアンカー突起３８ａによってアスファルトマスチックとの密着面積、すなわち密着長（浸透路長）を増加させることができる。この結果、上述した遮水シート３８とアスファルトマスチックとの密着長を、設計上必要とされる１．２５ｍより短縮することができ、アスファルトマスチックの充填量を減らすことができ、材料コスト、工事コストを抑えることができる。また、図６（ａ）に示した形状のアンカー突起３８ａに代えて、図６（ｂ）に示したような断面形がＬ形をなす遮水シート３８と同材質のＬ形部材３８ｂを遮水シート内面に間隔をあけて並べて融着して同等の効果を奏することができる。また、アンカー突起３８ａ、Ｌ形部材３８ｂを組み合わせて使用することもできる。
【００４２】
図７は、多重遮水層１０の他の実施形態として、所定の層厚の中間被覆土層３１を構成する布製袋型枠Ｔにおいて、表裏２枚の合成繊維製織布の外面にあらかじめ上述の遮水シート２０，２１を貼着させた、２枚の遮水シート２０，２１を一体化させた布製袋型枠Ｔを用い、この布製袋型枠Ｔを捨石マウンド３あるいは裏込め石の法面に敷設し、布製袋型枠Ｔ内に固化処理土Ｓを充填させて遮水構造とした実施形態を示している。図８は、この布製袋型枠Ｔを用いた多重遮水層１０を部分的に拡大して示している。中間被覆土層３１を構築可能なこの布製袋型枠Ｔを用いることで、２枚の遮水シート間に中間被覆土層３１の層厚分だけ離隔を設けて二重遮水層を一挙に構築することができる。遮水シートの耐久性を考慮して裏込め工等との接触面に不織布等からなる保護マット２２を一体的に積層させることも好ましい。
【００４３】
図９は、他の実施形態として、下側遮水層２４の遮水シート２０、上側遮水層２５の遮水シート２１の端部をそれぞれの遮水シート２０，２１ごとに遮水構造を設けるようにした例を示している。また、個々の遮水構造において、アスファルトマスチック充填層３６を省略し、押え捨石や堆積廃棄物によって遮水シート２０，２１をアスファルトマスチック密着層３５に押える構造によって遮水シート端部の遮水化を図ることも可能である。
【００４４】
以上の説明において、本発明は種々の実施形態に限定されるものではなく、各請求項に示した範囲内での種々の変更が可能である。すなわち、請求項に示した範囲内で適宜変更した技術的手段を組み合わせて得られる実施形態も、本発明の技術的範囲に含まれる。
【符号の説明】
【００４５】
１  海面処分場
２  不透水性地層
３  捨石マウンド
１０  多重遮水層
１１  埋立域
２０，２１，３８  遮水シート
２２  保護マット
２４  下側遮水層
２５  上側遮水層
３０  下側緩衝保護層
３１  中間被覆土層
３２  上側緩衝保護層
３３，３４  コンクリートブロック（仕切型枠材）
３５  アスファルトマスチック密着層
３６  アスファルトマスチック充填層
３７  アスファルトマスチック被覆層
Ｓ  固化処理土
Ｔ  布製袋型枠
【図１】
2020094463.tif 000003
【図２】
2020094463.tif 000004
【図３】
2020094463.tif 000005
【図４】
2020094463.tif 000006
【図５】
2020094463.tif 000007
【図６】
2020094463.tif 000008
【図７】
2020094463.tif 000009
【図８】
2020094463.tif 000010
【図９】
2020094463.tif 000011
【図１０】
2020094463.tif 000012
【図１１】
2020094463.tif 000013